【手続補正書】
【提出日】平成29年7月25日(2017.7.25)
【手続補正１】
【補正対象書類名】明細書
【補正対象項目名】０００８
【補正方法】変更
【補正の内容】
【０００８】
上記課題を解決するために、本発明に係る情報管理装置は、所定の業務で作成すべき複数の文書のそれぞれについて文書の作成開始タイミングまたは文書の作成期限を設定することにより文書作成スケジュールを設定する設定手段と、前記設定手段により設定された文書作成スケジュールを、前記所定の業務で実施すべき複数の作業工程のそれぞれについて実施期間が設定された作業工程実施スケジュールに対応させて表示させる表示制御手段と、を備え、前記表示制御手段は、前記文書作成スケジュールと前記作業工程実施スケジュールとの間で時間軸がそろうように互いを並べて表示させることを特徴とする。
また、本発明に係る他の態様の情報管理装置は、所定の業務で実施すべき複数の作業工程のそれぞれについて実施期間を設定することにより作業工程実施スケジュールを設定する設定手段と、前記設定手段により設定された作業工程実施スケジュールを、前記所定の業務で作成すべき複数の文書のそれぞれについて文書の作成開始タイミングまたは文書の作成期限が設定された文書作成スケジュールに対応させて表示させる表示制御手段と、を備え、前記表示制御手段は、前記文書作成スケジュールと前記作業工程実施スケジュールとの間で時間軸がそろうように互いを並べて表示させることを特徴とする。
また、本発明に係る更に他の態様の情報管理装置は、所定のスケジュールに連動して文書データを作成するための文書スケジュールを設定する設定手段と、前記設定された文書スケジュールに対応する文書データの登録に基づいて、当該文書スケジュールにおける文書データ作成の進進捗状況を当該文書スケジュールの進捗状況として生成する生成手段と、前記生成された文書スケジュールの進捗状況を当該文書スケジュールに連動する前記所定のスケジュールとともに出力する出力手段と、を備えることを特徴とする。
また、本発明に係るプログラムは、コンピュータを、所定の業務で作成すべき複数の文書のそれぞれについて文書の作成開始タイミングまたは文書の作成期限を設定することにより文書作成スケジュールを設定する設定手段、前記設定手段により設定された文書作成スケジュールを、前記所定の業務で実施すべき複数の作業工程のそれぞれについて実施期間が設定された作業工程実施スケジュールに対応させて表示させる表示制御手段、として機能させ、前記表示制御手段は、前記文書作成スケジュールと前記作業工程実施スケジュールとの間で時間軸がそろうように互いを並べて表示させることを特徴とする。
また、本発明に係る他の態様のプログラムは、コンピュータを、所定の業務で実施すべき複数の作業工程のそれぞれについて実施期間を設定することにより作業工程実施スケジュールを設定する設定手段、前記設定手段により設定された作業工程実施スケジュールを、前記所定の業務で作成すべき複数の文書のそれぞれについて文書の作成開始タイミングまたは文書の作成期限が設定された文書作成スケジュールに対応させて表示させる表示制御手段、として機能させ、前記表示制御手段は、前記文書作成スケジュールと前記作業工程実施スケジュールとの間で時間軸がそろうように互いを並べて表示させることを特徴とする。
また、本発明に係る更に他の態様のプログラムは、コンピュータを、所定のスケジュールに連動して文書データを作成するための文書スケジュールを設定する設定手段、前記設定された文書スケジュールに対応する文書データの登録に基づいて、当該文書スケジュールにおける文書データ作成の進捗状況を当該文書スケジュールの進捗状況として生成する生成手段、前記生成された文書スケジュールの進捗状況を当該文書スケジュールに連動する前記所定のスケジュールとともに出力する出力手段、として機能させることを特徴とする。
【手続補正２】
【補正対象書類名】特許請求の範囲
【補正対象項目名】全文
【補正方法】変更
【補正の内容】
【特許請求の範囲】
【請求項１】
所定の業務で作成すべき複数の文書のそれぞれについて文書の作成開始タイミングまたは文書の作成期限を設定することにより文書作成スケジュールを設定する設定手段と、
前記設定手段により設定された文書作成スケジュールを、前記所定の業務で実施すべき複数の作業工程のそれぞれについて実施期間が設定された作業工程実施スケジュールに対応させて表示させる表示制御手段と、
を備え、
前記表示制御手段は、前記文書作成スケジュールと前記作業工程実施スケジュールとの間で時間軸がそろうように互いを並べて表示させる情報管理装置。
【請求項２】
所定の業務で実施すべき複数の作業工程のそれぞれについて実施期間を設定することにより作業工程実施スケジュールを設定する設定手段と、
前記設定手段により設定された作業工程実施スケジュールを、前記所定の業務で作成すべき複数の文書のそれぞれについて文書の作成開始タイミングまたは文書の作成期限が設定された文書作成スケジュールに対応させて表示させる表示制御手段と、
を備え、
前記表示制御手段は、前記文書作成スケジュールと前記作業工程実施スケジュールとの間で時間軸がそろうように互いを並べて表示させる情報管理装置。
【請求項３】
前記表示制御手段は、前記複数の文書に対する作成進捗状況情報を前記文書作成スケジュールに付加して表示させる請求項１又は２に記載の情報管理装置。
【請求項４】
前記表示制御手段は、所定の文書の登録に基づいて前記作成進捗状況情報を更新して表示させる請求項３に記載の情報管理装置。
【請求項５】
前記所定の業務は、工事、コンサート、または、展示会等のイベントである請求項１から４の何れか一項に記載の情報管理装置。
【請求項６】
所定のスケジュールに連動して文書データを作成するための文書スケジュールを設定する設定手段と、
前記設定された文書スケジュールに対応する文書データの登録に基づいて、当該文書スケジュールにおける文書データ作成の進進捗状況を当該文書スケジュールの進捗状況として生成する生成手段と、
前記生成された文書スケジュールの進捗状況を当該文書スケジュールに連動する前記所定のスケジュールとともに出力する出力手段と、
を備える情報管理装置。
【請求項７】
コンピュータを、
所定の業務で作成すべき複数の文書のそれぞれについて文書の作成開始タイミングまたは文書の作成期限を設定することにより文書作成スケジュールを設定する設定手段、
前記設定手段により設定された文書作成スケジュールを、前記所定の業務で実施すべき複数の作業工程のそれぞれについて実施期間が設定された作業工程実施スケジュールに対応させて表示させる表示制御手段、
として機能させ、
前記表示制御手段は、前記文書作成スケジュールと前記作業工程実施スケジュールとの間で時間軸がそろうように互いを並べて表示させるプログラム。
【請求項８】
コンピュータを、
所定の業務で実施すべき複数の作業工程のそれぞれについて実施期間を設定することにより作業工程実施スケジュールを設定する設定手段、
前記設定手段により設定された作業工程実施スケジュールを、前記所定の業務で作成すべき複数の文書のそれぞれについて文書の作成開始タイミングまたは文書の作成期限が設定された文書作成スケジュールに対応させて表示させる表示制御手段、
として機能させ、
前記表示制御手段は、前記文書作成スケジュールと前記作業工程実施スケジュールとの間で時間軸がそろうように互いを並べて表示させるプログラム。
【請求項９】
コンピュータを、
所定のスケジュールに連動して文書データを作成するための文書スケジュールを設定する設定手段、
前記設定された文書スケジュールに対応する文書データの登録に基づいて、当該文書スケジュールにおける文書データ作成の進捗状況を当該文書スケジュールの進捗状況として生成する生成手段、
前記生成された文書スケジュールの進捗状況を当該文書スケジュールに連動する前記所定のスケジュールとともに出力する出力手段、
として機能させるプログラム。